(57)【要約】【課題】  小形化及び軽量化を実現し、外部電源の利用及び旅行ツアーガイド、視察、案内・商品説明、同時通訳など多様な用途に好適させる。【解決手段】  箱形本体１の第１区画２７内には、２階建て構成の小型回路基板２６ａを表面の一部に備えた回路基板２６が配置される。第２区画２８内には、箱形本体１のコーナー開口部９から挿入される電池ケース１０が配置される。直流乾電池は、コーナー開口部９側に設けられたスライド開閉可能な電池蓋１３によって通電可能に支持され、電源オン／オフ回路４１は、逆流防止機能を有するトランジスタ回路４１ａが付加されている。送信機側には、マイクロホン４７に対応する第１入力ジャック３及び、外部入力電源４８に対応する第２入力ジャック８、受信機側には、イヤホン８０に対応する第１出力ジャック６３及び、外部出力電源８１に対応する第２出力ジャック６４がそれぞれ設けられ、チャンネルスイッチ７は、ＣＳ回路５３によって多数切換えが可能になっている。【選択図】  図１
2006295866.tif 000002
【特許請求の範囲】
【請求項１】
一対の半割部材からなる箱形本体の第１区画内には、送信用の内臓アンテナ及び集積回路を搭載した回路基板が配置され、第２区画内には、２本の直流乾電池を並置装填した電池ケースが配置されている携帯用送信機において、
前記回路基板は、表裏面の両方に集積回路が搭載され、しかも表面側に設けた２階建て構成の小型回路基板にも集積回路が搭載され、
前記電池ケースは、箱形本体のコーナー開口部から挿入される一対の半割部材で構成され、しかもスライド開閉可能な電池蓋が、コーナー開口部側に位置して、前記乾電池を通電可能にしており、
前記送信用の集積回路は、電源スイッチ、マイクロホン対応の第１入力ジャック、外部電源入力対応の第２ジャック及び、多数切換え可能なチャンネルスイッチがそれぞれ機能するように接続されていることを特徴とする携帯用送信機。
【請求項２】
前記乾電池による電源回路は、トランジスタ回路による逆流防止機能が付加されていることを特徴とする請求項１に記載の携帯用送信機。
【請求項３】
前記乾電池に対する電池消耗表示は、発光ダイオードによる色別が表示窓に映り出されることを特徴とする請求項１又は請求項２に記載の携帯用送信機。
【請求項４】
前記箱形本体には、第１入力ジャックに対し、予備として使用する内蔵マイク及び送話口が備えられていることを特徴とする請求項１〜請求項３に記載の携帯用送信機。
【請求項５】
一対の半割部材からなる箱形本体の第１区画内には、受信用の内臓アンテナ及び集積回路を搭載した回路基板が配置され、第２区画内には、２本の直流乾電池を並置装填した電池ケースが配置されている携帯用受信機において、
前記回路基板は、表裏面の両方に集積回路が搭載され、しかも表面側に設けた２階建て構成の小型回路基板にも集積回路が搭載され、
前記電池ケースは、箱形本体のコーナー開口部から挿入される一対の半割部材で構成され、しかもスライド開閉可能な電池蓋が、コーナー開口部側に位置して、前記乾電池を通電可能にしており、
前記受信用の集積回路は、音量調整兼用の電源スイッチ、イヤホン対応の第１出力ジャック、外部電源出力対応の第２出力ジャック及び、多数切換え可能なチャンネルスイッチがそれぞれ機能するように接続されていることを特徴とする携帯用受信機。
【請求項６】
前記乾電池による電源回路には、トランジスタ回路による逆流防止機能が付加されていることを特徴とする請求項５に記載の携帯用受信機。
【請求項７】
前記乾電池の電池消耗表示及びチャンネル選択表示は、発光ダイオードによる色別が表示窓に映り出されることを特徴とする請求項５又は請求項６に記載の携帯用受信機。
【請求項８】
一対の半割部材からなる箱形本体の第１区画内には、送信用の内臓アンテナ及び集積回路を搭載した回路基板が配置され、第２区画内には、２本の直流乾電池を並置装填した電池ケースが配置されている携帯用送信機と、この携帯用送信機と対になる略同形状の箱形本体の第１区画内には、受信用の内臓アンテナ及び集積回路を搭載した回路基板が配置され、第２区画内には、２本の直流乾電池を並置装填した電池ケースが配置されている携帯用送信機とから構成される携帯用送受信機において、
前記携帯用送信機及び携帯用受信機における回路基板は、表裏面の両方に集積回路が搭載され、しかも表面側に設けた２階建て構成の小型回路基板にも集積回路が搭載され、
前記携帯用送信機及び携帯用受信機における電池ケースは、箱形本体のコーナー開口部から挿入される一対の半割部材で構成され、しかもスライド開閉可能な電池蓋が、コーナー開口部側に位置して、前記乾電池を通電可能にしており、
前記送信用の集積回路は、電源スイッチ、マイクロホン対応の第１入力ジャック、外部電源入力対応の第２ジャック及び、多数切換え可能なチャンネルスイッチがそれぞれ機能するように接続され、
前記受信用の集積回路は、音量調整兼用の電源スイッチ、イヤホン対応の第１出力ジャック、外部電源出力対応の第２出力ジャック及び、多数切換え可能なチャンネルスイッチがそれぞれ機能するように接続され、
前記第１入力ジャックに接続されたマイクロホン又は第２入力ジャックに接続された外部電源側では、前記送信チャンネル及び内蔵アンテナを通じて送信し、これに対する受信アンテナ及び内蔵アンテナ側では、送信チャンネルを検知・選択して、音声、音楽などの音響を聴くことができ、或いは録音することができることを特徴とする携帯用送受信機。
【請求項９】
前記携帯用送信機及び携帯用受信機における乾電池による電源回路は、トランジスタ回路による逆流防止機能が付加されていることを特徴とする請求項８に記載の携帯用送受信機。
【請求項１０】
前記携帯用送信機における電池消耗表示及び、前記携帯用受信機における電池消耗表示及びチャンネル選択表示は、発光ダイオードによる色別が表示窓に映り出されることを特徴とする請求項８又は請求項９に記載の携帯用送受信機。
【発明の詳細な説明】
【技術分野】
【０００１】  本発明は、携帯用送信機及び携帯用受信機並びに携帯用送受信機に関し、特に、小型・軽量化、操作の容易性及び外部電源の利用などを実現することにより、旅行ツアーガイド、現場視察、案内・商品説明、同時通訳など幅広い用途に適用できることを目的とするものであって、乾電池による小電力適用の集積回路で、多数切換え可能なチャンネルを装備し、また長期寿命を可能にした送受信技術に関する。
【背景技術】
【０００２】  従来、この種の携帯用送信機では、ラジオ受信機を応用したものが一般的である。そして、この種の機種では、低電圧の作動は、例えば直流電源電圧６ＶがＤＣ／ＤＣ変換器に付勢され、この電圧をさらに昇圧する同調回路が備えられる構成になっているため、その大きさ、用途などに限界がある。
また、集積回路を搭載した機種では、使い方の多様化を満たすことが要求されるため、回路基板の小型化、小電力で長期寿命が図れるなどが必要とされている。
【発明の開示】
【発明が解決しようとする課題】
【０００３】  解決しようとする問題点は、集積回路を搭載した回路基板が箱形本体内に組込まれるにあたって、多様な回路構成から小型化が難しい点にある。
また、乾電池については、基本的に市販品の使用からスペース問題には限界があるが、長期寿命を図る必要性及び電池切れの表示が問題点になっている。
さらに、付加的な機能として、使い方の多様性・応用性では、同時通訳などへの適用、現場案内等の音声を他機種例えばビデオカメラに出力するなどの応用性に欠ける問題点があった。
このため、本発明では、これらの問題点が基本的に解消されることを目的とし、また、操作部分については、できる限り通常の使用に合わせた形状にすることで操作の容易性が損なわれないことを目的としている。
【課題を解決するための手段】
【０００４】  本発明に係る請求項１記載の携帯用送信機は、一対の半割部材からなる箱形本体の第１区画内には、送信用の内臓アンテナ及び集積回路を搭載した回路基板が配置され、第２区画内には、２本の直流乾電池を並置装填した電池ケースが配置されている携帯用送信機において、前記回路基板は、表裏面の両方に集積回路が搭載され、しかも表面側に設けた２階建て構成の小型回路基板にも集積回路が搭載され、前記電池ケースは、箱形本体のコーナー開口部から挿入される一対の半割部材で構成され、しかもスライド開閉可能な電池蓋がコーナー開口部側に位置して、前記乾電池を通電可能にしており、前記送信用の集積回路は、電源スイッチ、マイクロホン対応の第１入力ジャック、外部電源入力対応の第２入力ジャック及び、多数切換え可能なチャンネルスイッチがそれぞれ機能するように接続されていることを特徴とする携帯用送信機である。【０００５】  上記構成によれば、第１区画では、送信用の集積回路は、回路基板の表裏面の両方、さらには２階建て構成の小型回路基板にも搭載されるので、搭載面積が充分に確保され、しかも２階建ての小型回路基板に関係する厚みについては、他の場所で比較的大きな高さを占める可変抵抗器などの組込み用電子部品があったとしても、これに適合できる高さの範囲内に集積回路を搭載できる。このため、第１区画では、充分なスペースを確保でき、箱形本体の小型化が可能になる。
また、第２区画では、スライド開閉可能な電池蓋を備えた電池ケースが、コーナー開口部側から挿入配置されるようになっている。このため、航空機などで使用したときの気圧変化などによって乾電池の液漏れ発生があっても他の部分への影響がなくなる。また、乾電池の装填に伴う操作性がよく、しかも前述した回路基板との組合せにおいても小型化を損なわない。
さらに、送信用の集積回路では、マイクロホン対応の第１入力ジャック及び外部電源入力対応の第２入力ジャックがそれぞれ備えられている。このため、マイクロホンの適用は勿論、外部電源として、ＭＰ３プレーヤ、ＭＤプレーヤ及びＣＤプレーヤなどを接続できるので、使い方が多様化する。【０００６】  請求項２記載の携帯用送信機では、前記乾電池による電源回路は、トランジスタ回路による逆流防止機能が付加されていることを特徴とする請求項１に記載の携帯用送信機である。
上記構成によれば、トランジスタ回路による逆流防止機能が付加されているため、誤操作で正負を逆に装填した場合でも、極端な電池消耗を防ぐことができる。【０００７】  請求項３記載の携帯用送信機では、前記乾電池に対する電池消耗表示は、発光ダイオードによる色別が表示窓に映り出されることを特徴とする請求項１又は請求項２に記載の携帯用送信機である。
上記構成によれば、発光ダイオードによる色別が表示窓に映り出される構成になっている。この機能は、グリーン及びレッドの発光ダイオードを回路中に組込めばよく、表示窓には、正常（グリーン）、消耗中（オレンジ）及び異常（レッド）による色別表示が可能になる。【０００８】  請求項４記載の携帯用送信機では、前記箱形本体には、第１入力ジャックに対し、予備として使用する内蔵マイク及び送話口が備えられていることを特徴とする請求項１〜請求項３に記載の携帯用送信機である。
上記構成によれば、予備の内臓マイク及び送話口が備えられているため、何らかの理由で第１入力ジャックが使用できない場合であっても、緊急使用できるものである。【０００９】  請求項５記載の携帯用受信機は、一対の半割部材からなる箱形本体の第１区画内には、受信用の内臓アンテナ及び集積回路を搭載した回路基板が配置され、第２区画内には、２本の直流乾電池を並置装填した電池ケースが配置されている携帯用受信機において、前記回路基板は、表裏面の両方に集積回路が搭載され、しかも表面側に設けた２階建て構成の小型回路基板にも集積回路が搭載され、前記電池ケースは、箱形本体のコーナー開口部から挿入される一対の半割部材で構成され、しかもスライド開閉可能な電池蓋がコーナー開口部側に位置して、前記乾電池を通電可能にしており、前記受信用の集積回路は、音量調節兼用の電源スイッチ、イヤホン対応の第１出力ジャック、外部電源出力対応の第２出力ジャック及び、多数切換え可能なチャンネルスイッチがそれぞれ機能するように接続されていることを特徴とする携帯用受信機である。【００１０】  上記構成によれば、第１区画では、送信用の集積回路は、回路基板の表裏面の両方、さらには２階建て構成の小型回路基板にも搭載されるので、搭載面積が充分に確保され、しかも２階建ての小型回路基板に関係する厚みについては、他の場所で比較的大きな高さを占める可変抵抗器などの組込み用電子部品があったとしても、これに適合できる高さの範囲内に集積回路を搭載できる。このため、第１区画では、充分なスペースを確保でき、箱形本体の小型化が可能になる。
また、第２区画では、スライド開閉可能な電池蓋を備えた電池ケースが、コーナー開口部側から挿入配置されるため、乾電池の液漏れが発生しても他の部分への影響を避けることができるとともに、乾電池の装填に伴う操作性がよく、しかも前述した回路基板との組合せにおいても小型化を損なわない。
さらに、受信用の集積回路では、イヤホン対応の第１出力ジャック及び外部電源出力対応の第２出力ジャックがそれぞれ備えられている。このため、イヤホンの適用は勿論、外部電源として、ステレオ機器、ビデオカメラなどを接続すれば、携帯用送信機側又は外部電源からの音声、音楽などを聴たり、録音することができる。【００１１】  請求項６記載の携帯用受信機では、前記乾電池による電源回路には、トランジスタ回路による逆流防止機能が付加されていることを特徴とする請求項５に記載の携帯用送信機である。
上記構成によれば、トランジスタ回路による逆流防止機能が付加されているため、誤操作で正負を逆に装填した場合でも、極端な電池消耗を防ぐことができる。【００１２】  請求項７記載の携帯用受信機では、前記乾電池による電池消耗表示及びチャンネル選択表示は、発光ダイオードによる色別が表示窓に映し出されることを特徴とする請求項５又は請求項６に記載の携帯用送信機である。
上記構成によれば、電池消耗表示及びチャンネル選択表示は、発光ダイオードによる色別が表示窓に映り出される構成になっている。これらの機能を付加するには、グリーン及びレッドの発光ダイオードを回路中に組込めばよい。電池消耗表示では、正常（グリーン）、消耗中（オレンジ）及び異常（レッド）の色別表示が可能になる。チャンネル選択表示では、送信機側のチャンネルを検知・選択すれば、グリーンで色別表示される。【００１３】  請求項８記載の携帯用送受信機は、一対の半割部材からなる箱形本体の第１区画内には、送信用の内臓アンテナ及び集積回路を搭載した回路基板が配置され、第２区画内には、２本の直流乾電池を並置装填した電池ケースが配置されている携帯用送信機と、この携帯用送信機と対になる略同形状の箱形本体の第１区画内には、受信用の内臓アンテナ及び集積回路を搭載した回路基板が配置され、第２区画内には、２本の直流乾電池を並置装填した電池ケースが配置されている携帯用受信機とから構成される携帯用の送受信機において、前記携帯用送信機及び携帯用受信機における回路基板は、表裏面の両方に集積回路が搭載され、しかも表面側に設けた２階建て構成の小型回路基板にも集積回路が搭載され、前記携帯用送信機及び携帯用受信機における電池ケースは、箱形本体のコーナー開口部から挿入される一対の半割部材で構成され、しかもスライド開閉可能な電池蓋がコーナー開口部側に位置して、前記乾電池を通電可能にしており、前記送信用の集積回路は、電源スイッチ、マイクロホン対応の第１入力ジャック、外部電源入力対応の第２入力ジャック及び、多数切換え可能なチャンネルスイッチがそれぞれ機能するように接続され、前記受信用の集積回路は、音量調節兼用の電源スイッチ、イヤホン対応の第１出力ジャック、外部電源出力対応の第２出力ジャック及び、多数切換え可能なチャンネルスイッチがそれぞれ機能するように接続され、前記第１入力ジャックに接続されたマイクロホン又は第２入力ジャックに接続された外部電源側では、前記送信チャンネル及び内蔵アンテナを通じて送信し、これに対する受信チャンネル及び内蔵アンテナ側では、送信チャンネルを検知・選択して、音声、音楽などの音響を聴くことができ、或いは録音できることを特徴とする携帯用受信機である。【００１４】  上記構成によれば、携帯用送信機及び携帯用受信機における第１区画では、送信用及び受信用の集積回路は、回路基板の表裏面の両方、さらには２階建て構成の小型回路基板にも搭載される。このため、搭載面積が充分に確保され、しかも２階建ての小型回路基板に関係する厚みについては、他の場所で比較的大きな高さを占める可変抵抗器などの組込み用電子部品があっても、これに適合できる高さの範囲内に集積回路を搭載できる。したがって、第１区画では、充分なスペースを確保でき、箱形本体の小型化が可能になる。
また、携帯用送信機及び携帯用受信機における第２区画では、スライド開閉可能な電池蓋を備えた電池ケースが、コーナー開口部側から挿入配置されるため、乾電池の液漏れ発生があっても他の部分への影響を避けることができ、また装填に伴う操作性がよく、しかも前述した回路基板との組合せにおいても小型化を損なわない。
さらに、送信用の集積回路では、マイクロホン対応の第１入力ジャック及び外部電源入力対応の第２入力ジャックがそれぞれ備えられ、これに対する受信用の集積回路では、イヤホン対応の第１出力ジャック及び外部電源出力対応の第２出力ジャックがそれぞれ備えられている。このため、通常のマイクロホン及びイヤホンによる送受信だけでなく、第２入力ジャックでは、ＭＰ３プレーヤ、ＭＤプレーヤ及びＣＤプレーヤなどによる使い方や、第２出力ジャックでは、ステレオ機器、ビデオカメラなどによる使い方ができるので、その用途が多様化する。
また、携帯用送信機及び携帯用受信機の集積回路では、多数切換えを可能にしたチャンネルスイッチが備えられている。したがって、携帯用送信機及び受信機は、同時に多数組み使用するようにしたマルチチャンネルシステムを採用すれば、チャンネルスイッチの切換えにより、同時通訳にも適用できる。【００１５】  請求項９記載の携帯用送受信機では、前記携帯用送信機及び携帯用受信機における乾電池による電源回路は、トランジスタ回路による逆流防止機能が付加されていることを特徴とする請求項８に記載の携帯用送信機である。
上記構成によれば、トランジスタ回路による逆流防止機能が付加されているため、誤操作で正負を逆に装填した場合でも、極端な電池消耗を防ぐことができる。【００１６】  請求項１０記載の携帯用送受信機では、前記携帯用送信機における電池消耗表示及び、前記携帯用受信機における電池消耗表示及びチャンネル選択表示は、発光ダイオードによる色別機能が表示窓に映し出されることを特徴とする請求項８又は請求項９に記載の携帯用送信機である。
上記構成によれば、携帯用送信機及び携帯用受信機は、発光ダイオードによる色別が表示窓に映り出されるため、電池消耗度の判定及び送信チャンネルの検知・選択が容易に行える。
【発明の効果】
【００１７】  本発明に係る携帯用送信機は、箱形本体内の第１区画には、集積回路を表面及び裏面に搭載した回路基板に対し、この回路基板の表面側で２階建て構成の小型回路基板を設け、この小型回路基板にも集積回路を搭載するようにしたものである。このため、回路基板の小型化が可能になって、箱形本体の小型化を達成できる利点を有する。この場合、箱形部材の半割部材について、合成樹脂、軽合金で製作することで軽量化も可能となる。
また、本発明に係る携帯用送信機は、箱形本体の第２区画には、コーナー開口部から挿入される電池ケースを配置し、これに装填される乾電池を通電可能に支持するスライド開閉可能な電池蓋が備えられるようにしたものである。このため、乾電池の液漏れ発生があっても他の部分への影響を避けることができ、また電池の交換時の操作性も向上する。
さらに、本発明に係る携帯用送信機は、マイクロホン対応の第１入力ジャックに対し、外部電源入力対応の第２入力ジャックが備えられるようにしたものである。このため、第２入力ジャックでは、ＭＰ３プレーヤ、ＭＤプレーヤ及びＣＤプレーヤなどの外部入力電源を接続できるので、使い方の多様化が図れる。【００１８】  また、本発明に係る携帯用受信機は、前述した携帯用送信機の回路基板と略同様な構成であることから、箱形本体の小型化が可能となり、電池ケースの操作性も向上する。
また、本発明に係る携帯用受信機は、イヤホン対応の第１出力ジャックに対し、外部出力電源対応の第２出力ジャックが備えられるようにしたものである。このため、ステレオ機器、ビデオカメラなどに接続することができるので、同様に使い方の多様化が図れる。【００１９】  さらに、本発明に係る携帯用送受信機は、多数切換え可能な送受信用のチャンネルスイッチがそれぞれ機能するように備えられていることから、受信側では、チャンネルスイッチの切換えにより、送信チャンネルを検知・選択できるような構成になっている。このため、マルチチャンネル方式も採用することができ、同時通訳にも応用できる。つまり、送信側では、複数の送信機により、異なった送信チャンネルで複数の翻訳語を送信すれば、受信側では、チャンネルの切換えによる検知・選択により、受信者自身に適した翻訳語を聴くことができる。
【実施例１】
【００２０】  以下、本発明に係る携帯用送信機について、添付図面に基づいて詳細に説明する。図１は、本発明の第１実施形態に係る携帯用送信機を示す概念的な斜視図である。
第１実施形態の携帯用送信機は、一対の半割部材１ａ，１ｂからなる箱形本体１を有し、図１の上端に設けられた取付け板２には、マイクロホン対応の第１入力ジャック３、オン／オフ切換えの電源スイッチ４、表示窓５及び送話口６がそれぞれ設けられている。この場合、表示窓５は、オンの状態では、後述するように、発光ダイオードにより電池消耗度を色別表示するものであり、送話口６は、予備用の内臓マイクとともに緊急用として使用するものである。
また、箱形本体１の左側部の上方部分には、多数切換え可能なチャンネルスイッチ７及び外部電源（図示せず）を接続する第２入力ジャック８がそれぞれ設けられている。
さらに、箱形本体１の右側コーナーには、コーナー開口部９が設けられ、このコーナー開口部９には、図２（ａ）（ｂ）で示されるように、２本の乾電池（市販の単４形１．５Ｖ）を表示に従い組込む電池ケース１０が収納され、最終的には、例えば六角穴付きの小ネジ１１で箱形本体１に固定される。この場合、図２（ａ）（ｂ）は、図１を正面図としたときに、背面図及び右側面図をそれぞれ示したものである。【００２１】  図３は、図２（ａ）中のＡ−Ａ線に沿って得られる断面図（内部部品は省略）であり、箱形本体１には、ネックストラップ用の係止穴１２が形成されている。本発明の場合、箱形本体１は、ほぼ名刺大に小型化され、合成樹脂で構成した場合には、約８７．５ｇ（電池含まず）と軽量化されたことから形成したものである。
図４は、電池ケース１０について、電池蓋１３を開いた状態を示した斜視図であり、図５は、電池蓋１３の斜視図である。
電池ケース１０は、図４で示されるように、一対の半割部材１０ａ，１０ｂからなるもので、その内部空間には、２本の直流乾電池（図示せず）が組込まれた後、電池蓋１３によって閉じられる。電池ケース１０を別部材として構成したのは、乾電池の液漏れが発生したときに、他の部分への影響を避けるためである。
前記電池蓋１３は、図５で示すように、ガイド部分１３ｂを備えた蓋本体１３ａに対して、その上下端からそれぞれ直角に折曲端１３ｃ，１３ｄを形成することで略コ字状に構成される。そして、ガイド部分１３ｂから延びる折曲端１３ｃには、ガイド部分１３ｂの幅よりも長さの大きい係止軸１４が形成され、反対側の折曲端１３ｄには、略凸状の係止部分１５が形成されるようになっている。また、電池蓋１３の本体部分１３ａには、乾電池の＋極及び−極に対して通電可能となるスプリング１６ａ，１６ｂが取付けられるようになっている。
これに対し、前記電池ケース１０は、ガイド溝１７の両側壁に盲状の係止穴１８が設けられており、この係止穴１８内には、図４で示されるように、電池蓋１３の係止軸１４が位置するようになっている。
この結果、電池蓋１３は、ガイド部分１３ｂ及び電池ケース１０のガイド溝１７によってスライド可能に構成される。
また、電池蓋１３は、図２（ｂ）で示されるように、係止部分１５が、電池ケース１０の係止溝１９内に位置することで閉状態になる。したがって、この電池蓋１３は、電池ケース１０に対してスライド開閉可能に構成される。【００２２】  図６（ａ）（ｂ）（ｃ）は、電池ケース１０の半割部材１０ａを示す説明図であり、図６（ａ）は、半割り状態の内部側から見た正面図、図６（ｂ）は、その背面図、図６（ｃ）は、右側面図である。
これに対し、図７（ａ）（ｂ）（ｃ）は、同様に、電池ケース１０の半割部材１０ｂを示す説明図であり、図７（ａ）は、半割り状態の外側から見た正面図、図７（ｂ）は、左側面図、図７（ｃ）は、右側面図である。
したがって、前記電池ケース１０の半割部材１０ａは、乾電池が組込まれる最奥端側では、一対の接触板２０が設けられ、この接触板２０には、電池蓋１３に適合するように、−極に対するスプリング２０ａ及び＋極に対する膨出部分２０ｂがそれぞれ備えられている。
また、半割部材１０ａ，１０ｂは、並置状態に装填される乾電池間で中央隔壁２４ａ，２４ｂが形成され、この中央隔壁２４ａ，２４ｂには、位置決め用の細長溝２５ａ及び細長突起２５ｂが形成されるようになっている。【００２３】  図８は、本発明携帯用送信機について、前記箱形本体１の内部を概念的に示す説明図である。この場合、回路基板２６の表面側の一部において、２点鎖線で示された部分には、２階建てを構成する小型回路基板２６ａが備えられている。そして、小型回路基板２６ａは、回路基板２６の表面側ある電子部品を越えない高さ範囲内で集積回路が搭載される。
図８において、箱形本体１の内部は、集積回路を搭載した回路基板２６及び小型回路基板２６ａを配置する第１区画２７及び、前記電池ケース１０を配置する第２区画２８が構成されるものである。そして、第２区画２８内では、前述したように電池ケース１０を挿入配置できるコーナー開口部９が形成され、また回路基板２６に対する区画壁２９が形成される。なお、第２区画２８には、電池ケース１０に対するガイドレール３０ａ，３０ｂ，３０ｃが設けられ、中央にあるガイドレール３１ｃは、前記小ネジ１１に対する取付け穴３１を形成した突起部分３２ａ，３２ｂを補強する役割も兼ねている。
また、第２区画２８内では、前記コーナー開口部９の反対側には、挿入溝３３ａを形成した一対の起立壁３３が形成され、この起立壁３３では、乾電池に対するリード線３４を挿入溝３３ａにより支持しており、この挿入溝３３ａから突出するリード線３４の一端には、前記電池ケース１０の接触板２０に向って通電可能となるようにスプリング３５が形成されている。
図９は、図８に対する半割部材１０ｂの内部側を示した平面図であって、前述した半割部材１０ａのガイドレール３１ａ，３１ｂ，３１ｃなどに対応するガイドレール３６ａ、３６ｂ、３６ｃ、取付け穴３７を形成した突起部分３８ａ，３８ｂなどがそれぞれ設けられている。
また、図１０は、回路基板２６の裏面側を示した説明図であって、集積回路の搭載状況を例示したものである。【００２４】  ところで、前述した第１区画２７内に配置される回路基板２６には、前述した電源スイッチ４、第１入力ジャック３、第２入力ジャック８、チャンネルスイッチ７などを作動させる集積回路が搭載される。
図１１は、本発明携帯用送信機の集積回路を概念的に示したブロック図である。このブロック図において、電源４０は、前述したように直流乾電池による小電源を適用したものである。このため、乾電池としては、市販品の単４（１．５Ｖ）２本を適用し、また本発明における空中線電力は、８００ＭＨｚ帯、１０ｍＷ以下を対象にしている。
本発明に係る携帯用送信機は、電源スイッチ４をオンすれば、電流は、電源オン／オフ回路４１から、１．８〜３．５Ｖの範囲で作動するように設定されたＤＣ／ＤＣコンバータ４２及び電圧を規制値例えば３．３Ｖに制御するレギュレータ４３を介してＶＣＯユニット４４に流れるようになっている。
このＶＯＣユニット４４は、外部から与えられる電圧で発振周波数を変化させるものであり、その発振回路には、可容量ダイオードＶＤ，トランジスタＱなどの電子部品がモジュール化されている。そして、本発明の携帯用送受信機では、８０６〜８１０ＭＨｚの範囲内で、しかも１６チャンネルの切換えが可能になっている。
また、前記電源オン／オフ回路４１は、乾電池の挿入にあたって遅延回路を構成しており、また正逆の装填間違いによる電池消耗の配慮から、図１２で示すように、トランジスタ回路４１ａによる逆流防止機能を付加している。
図１２において、電源オン／オフ回路４１は、電源４０からＤＣ／ＤＣコンバータ４２に至る間にあって、その回線には、トランジスタＱ１及びコンデンサＣ１，Ｃ２が備えられる。また、このトランジスタＱ１には、バイパスを構成するトランジスタ回路４１ａが付加されている。このトランジスタ回路４１ａは、過電流が流れたときに、スイッチＳのオンによってトランジスタＱ２が作動して逆方向電圧を付加する。このような配慮のない場合、乾電池を逆挿入すれば、例えばフューズを備えた回路では、即時に消耗し、またダイオードを備えた回路でも、約４０％消耗する。これに対し、本発明の回路では、約２０％消耗で済むことから再使用が可能である。
なお、トランジスタ回路４１ａ中には、抵抗Ｒ１，Ｒ２，Ｒ３，コンデンサＣ３，Ｃ４，Ｃ５及びダイオードＤが備えられている。
このような電源オン／オフ回路４１は、遅延回路を構成しており、また連続通電時間で約２０時間の寿命であって、対する比較品のダイオード回路では、約１２時間の寿命であった。したがって、本発明の電源オン／オフ回路４１は、比較品のダイオード回路に対して、約１．５倍以上の長期寿命を示した。
さらに、前記ＤＣ／ＤＣコンバータ４２には、電池消耗表示４５ができるように、発光ダイオード４６を作動させれば、発光色が、樹脂レンズ４６ａを介して、前記表示窓５に映り出される。
つまり、発光ダイオード４６は、図１１で示すように、グリーンＧ及びレッドＲを備えれば、乾電池の消耗度によって発光ダイオードの電流値が変化する。これに伴って、本発明では、正常（グリーン）、消耗中（オレンジ）及び異常（レッド）の色別表示が可能になる。【００２５】  また、本発明の携帯用送信機では、第１入力ジャック３では、マイクロホン４７が接続され、また第２入力ジャック８では、外部入力電源４８が接続される。
そして、第１入力ジャック３側では、演算増幅回路４９ａを介して前記ＶＯＣユニット４４に接続される。この場合、演算増幅回路４９ａは、ＡＧＣによって増幅度の調整を行い、またＡＬＣによって最終段が歪む前に自動的にレベルを下げるように制御される。
なお、本発明の携帯用送信機は、第１入力ジャック３が何らかの理由で使用できない緊急の場合を想定している。つまり、この場合は、予備用の内臓マイク５０及び前記送話口６を設けることによって緊急的に対処することができる。
これに対し、外部入力電源４８は、ＭＰ３プレーヤ、ＭＤプレーヤ及びＣＤプレーヤなどを対象としている。そして、第２入力ジャック８側では、時定数５０μｓｅｃのプレエンファシス回路（図示せず）及びコンパンダ方式のコンプレッサによる演算増幅回路４９ｂを介してＶＯＣユニット４４に接続される。
また、前記演算増幅回路４９ａ，４９ｂからＶＯＣユニット４４に至る途中には、水晶発振子（図示せず）で信号周波数の精度を高めたトーンキー５１が設定されている。この場合、トーンキー５１の信号周波数は、８００ＭＨｚ帯として、３２．７６８ｋＨｚを適用している。
さらに、ＶＯＣユニット４４は、チャンネルスイッチ７に対するプログラムロム５２及びＣＳ回路５３を制御している。この場合、プログラムロム５２は、水晶発振子（図示せず）を備えたＰＬＬ発振回路５４によって発振周波数が自動的に修正され、安定した周波数を得るようにしている。そして、ＣＳ回路５３は、多数切換えのチャンネルセレクタを備えており、例えば１６チャンネルを可能にしている。
また、ＰＬＬ発振回路５４は、フィルタ（ＬＰＦ）５５ａ及びＶＯＣユニット４４に組込まれたフィルタ（ＢＰＦ）５５ｂを通すことで一定の高周波ＲＦが得られるようになっている。このため、ＶＯＣユニット４４には、可変容量ダイオードＶＤ、トランジスタＱなどがモジュール化されている。【００２６】  さらに、このＶＯＣユニット４４は、ドライバ５６によって発振された出力信号をパワーアンプ５７によって増幅する。
次いで、この出力信号は、一定範囲の周波数を通すフィルタ（ＢＰＦ）５５ｃを介して例えば、ループアンテナからなる送信用の内臓アンテナ５８から送信される。【００２７】  このようにして構成された携帯用送信機は、携帯用としての用途、目的から箱形本体１の小型化が要請されている。このため、回路基板としては、表裏面の両方に、集積回路を混在実装した回路基板２６に対し、その表面側の一部分に、２階建て構成の小型回路基板２６ａを備えるように構成している。
したがって、図８は、２階建て構成の小型回路基板２６ａを２点鎖線で示すようにしており、また回路基板２６の裏面については、図１０で示すようにしている。【００２８】  回路基板２６及び小型回路基板２６ａにおける集積回路の搭載例については、図８、図１０及び図１１を参照して説明すれば、以下のとおりである。
回路基板２６の表面側では、図８を参照すれば、金属カバー５９によって電気的、磁気的に分離されたＶＣＯユニット４４、電池消耗表示４５に関連する発光ダイオード４６、演算増幅器４９ａ、４９ｂ、内臓マイク５０、チャンネルスイッチ７を制御するＣＳ回路５３、電源スイッチ４に連動した可変抵抗器６０、水晶発振子５４ａを備えたＰＬＬ発振回路５４などが表面実装及び挿入実装によって搭載されている。
また、回路基板２６の裏面側では、図１２を参照すれば、レギュレータ４３、プログラムラム５２などが表面実装及び挿入実装によって搭載されている。
さらに、２階建てを構成する小型回路基板２６ａでは、電源オン／オフ回路４１、ＤＣ／ＤＣコンバータ４２、変圧コイル６１などが搭載されている。
【実施例２】
【００２９】  次に、本発明の第２実施形態を説明するが、前述した第１実施形態と同様な構成部品には、同一符号を付して説明を省略または簡略化する。図１３は、本発明の第２実施形態に係る携帯用受信機の外観を示す概念的な斜視図である。
第２実施形態に係る携帯用受信機は、図１３を参照して説明すれば、箱形本体１の上端にある取付け板２には、イヤホン対応の第１出力ジャック６３、オン／オフ切換え及び音量調節兼用の電源スイッチ４及び表示窓５がそれぞれ設けられている。
また、箱形本体１の上端側部には、チャンネルスイッチ７、外部入力電源（図示せず）を接続する第２出力ジャック６４が設けられている。
さらに、箱形本体の下端に設けられたコーナー開口部９には、乾電池を装填する電池ケース１０が収納されるようになっている。【００３０】  図１４は、箱形本体１の第１区画２７内に組込まれる回路基板２６の表面側に搭載される受信用の集積回路における配置を例示し、また２階建て構成の小型回路基板２６ａに搭載される受信用の集積回路の配置を例示した説明図である。
これに対し、図１５は、回路基板２６の裏面側に搭載される集積回路の配置を例示した説明図である。
さらに、図１６は、図１４及び図１５に例示された受信用の集積回路の原理を説示した概念的なブロック図である。【００３１】  本発明に係る携帯用受信機の集積回路の原理については、図１１との相違点を配慮しながら、図１６を参照して説明する。
本発明の携帯用受信機では、電源スイッチ４による電源消耗表示４５ａ及びチャンネルスイッチ７によるチャンネル選択表示４５ｂについては、マイクロコントローラユニット６５及び前述した発光ダイオード４６を利用して色別表示が制御される。
つまり、電源消耗表示４５ａは、携帯用送信機と同様であるが、チャンネルスイッチ７によるチャンネル選択表示４５ｂは、チャンネルの切換えによって、送信チャンネルの周波数に合致すれば、表示窓５では、グリーンが映り出されることにより検知できる。【００３２】  一方、本発明の携帯用受信機では、受信用の内臓アンテナ６６で受信した高周波ＲＦは、低ノイズアンプ６７、第１発振器６８ａ及び第２発振器６８ｂ経てＩＦ検波器６９によって、所定の中間周波ＩＦを得るようにしている。次いで、このＩＦ検波器６９からマイクロコントローラユニット６５に至る音声信号ラインでは、スケルチノイズカット７０によって雑音などが消去される。
なお、低ノイズアンプ６７では、予め絶縁フィルタＤＦを通過させ、第１発発振器６８ａでは、ハイパスフィルタＨＰＦ、第２発振器６８ｂでは、図１４で示される波形フィルタ７１を通過させている。また、定電圧ダイオード７２を接続させたＩＦ検波器では、セラミックフィルタ７３ａ，７３ｂを通過させるとともに、可聴周波数ＡＦを除外するようにしている。
さらに、マイクロコントローラユニット６５は、データライン及び制御ラインを構成するＰＬＬ周波シンセサイザ７４を接続している。この場合、ＰＬＬ周波シンセサイザ７４は、電圧制御発振器７５、ＬＰフィルタ７６ａ，７６ｂを基本とする回路が構成され、前述した第１発振器６８ａを制御する。
なお、ＰＬＬ周波数シンセサイザ７４及び第２発振器６８ｂでは、精度の高い発振回路とするため、図１４で示されるように、水晶発振子７７ａ，７７ｂがそれぞれ備えられるようになっている。【００３３】  前記第１出力ジャック６３は、マイクロコントローラユニット６５に対しては、オーディオパワーアンプ７８を介して接続され、第２出力ジャック６４は、オペアンプ７９ａ，７９ｂを介して接続されている。この場合、第１出力ジャック６３には、イヤホン８０、また第２ジャック６４には、ステレオ機器などの外部出力電源８１がそれぞれ選択的に接続される。【００３４】  また、音量調節は、マイクロコントローラユニット６５から、トーンライン及びノイズカット制御ラインとして接続されることにより制御される。そして、トーンコントロール８２は、圧縮された信号波を正常波に戻すエキスパンダ８３及び増幅作用をなすオペアンプ８４ａ，８４ｂを利用して制御回路を構成するようにしている。
また、トーンコントロール８２は、ＭＣＵ２で示す第２マイクロコントローラユニット８５によっても制御され、前述したように電源スイッチ４のオンに連動して音量が調節されるようになっている。なお、トーンコントロール８２は、スケルチノイズカット７０及び送信機側のトーンキー５１にそれぞれ関連して制御される。【００３５】  前記回路基板２６及び小型回路基板２６ａに対する集積回路の搭載について、図１４及び図１５を参照して説明する。
回路基板２６の表面側では、内臓アンテナ６６に対して、電気的、磁気的に分離された金属カバー８６が設けられている。
この金属カバー８６の内部には、絶縁フィルタＤＦ、低ノイズアンプ６７、ＩＦ検波器６９、波形フィルタ７１、定電圧ダイオード７２、セラミックフィルタ７３ａ，７３ｂ、第２発振器６８ｂ及びＰＬＬ周波シンセサイザ７４に備えた水晶発振子７７ａ、７７ｂ、チャンネルセレクタＣＳなどが搭載されるようになっている。
また、その他には、音量調節兼用の電源スイッチ４に対する可変抵抗器６０、電池消耗表示４５ａ及びチャンネル選択表示４５ｂに対する発光ダイオード４６、第１出力ジャック６３に対するオーディオパワーアンプ７８、エキスパンダ８３などが搭載されている。
これに対し、回路基板２６の裏面側では、マイクロコントローラユニット６５、スケルチノイズカット７０、トーンコントロール８２、オペアンプ７９ａ、７９ｂなどが搭載されている。
また、２階建て構成の小型回路基板２６ａでは、電源オン／オフ回路４１、ＤＣ／ＤＣコンバータ４２、可変コイル６１などが搭載されている。
【実施例３】
【００３６】  さらに、本発明の第３実施形態について説明するが、前述した第１実施形態及び第２実施形態と同様な構成部品には、同一符号を付して説明を省略または簡略化する。図１７は、本発明の第３実施形態に係る携帯用送受信機の外観を示した概念的な説明図である。
第３実施形態〜第６実施形態に係る携帯用送受信機は、前述した第１実施形態に係る携帯用送信機及び第２実施形態に係る携帯用受信機をそれぞれ１：１として構成するようにしたものである。なお、携帯用送信機及び携帯用受信機の内部構成などについては、前述した実施形態１及び実施形態２の構成と同様であるから、図示及び説明を省略する。
図１７において、携帯用送信機の第１入力ジャック３には、接続コード８７ａを介してマイクロホン４７が接続され、これに対する携帯用受信機側の第１出力ジャック６３には、接続コード８７ｂを介してイヤホン８０が接続されている。したがって、携帯用受信機側では、イヤホン８０から携帯用送信機側のマイクロホン４７からの音声などを聴くことができる。
また、図１８は、本発明の第４実施形態に係る携帯用送受信機を概念的に示した説明図である。この場合、第４実施形態は、第３実施形態と異なるのは、第２出力ジャック６４を利用して、例えば外部出力電源８１として縮小表示したステレオ機器が接続されたことにある。この場合は、ステレオ機器から高音質で聴くことができる。
さらに、図１９は、本発明の第５実施形態に係る携帯用送受信機を概念的に示した説明図である。第５実施形態は、第３実施形態と異なるのは、第２入力ジャック８を利用して、例えば外部入力電源４８として縮小表示したＭＤプレーヤが接続されたことにある。この結果、ＭＤ本来の高音質の音響、音楽などを、イヤホン８０から聴くことができる。
また、図２０は、本発明の第６実施形態に係る携帯用送受信機を概念的に示した説明図である。第６実施形態は、第５実施形態と異なるのは、第２出力ジャック６４を利用して、例えば外部出力電源８１として縮小表示したステレオ機器が接続されたことにある。この場合は、ステレオ機器から高音質で聴くことができる。【００３７】  なお、本発明の携帯用送受信機については、図１７〜図２０では、携帯用送信機及び携帯用受信機の１：１の組合せで説明している。しかし、これらの場合に限らずマルチチャンネル方式を採用できることは勿論である。マルチチャンネル方式によれば、同時通訳なども容易に適用できる。これは、携帯用受信機側で、チャンネルスイッチ７の切換えをすれば、チャンネル選択表示４５ｂの機能に従って表示窓５から色別できるからである。
【図面の簡単な説明】
【００３８】
【図１】  本発明の第１実施形態に係る携帯用送信機の外観を示す概念的な斜視図である。
【図２】  携帯用送信機を示す説明図であり、図２（ａ）は、背面図で、図２（ｂ）は、右側面図である。
【図３】  図２中のＡ−Ａ線に沿って得られる断面図であって、内部を省略した説明図である。
【図４】  電池蓋を開いた状態を示す電池ケースの斜視図である。
【図５】  電池蓋の斜視図である。
【図６】  電池ケースの一方の半割り部材を示す説明図であって、図６（ａ）は、内部側を示した正面図、図６（ｂ）は、背面図、図６（ｃ）は、右側面図である。
【図７】  電池ケースの他方の半割り部材を示す説明図であって、図７（ａ）は、外部側を示した正面図、図７（ｂ）は、左側面図、図７（ｃ）は、右側面図である。
【図８】  箱形本体の半割り部材内に送信用の回路基板を組込んだ状態を示す説明図である。
【図９】  半割り部材の他方を示す内部側から見た正面図である。
【図１０】  回路基板の裏面側を示した背面図である。
【図１１】  本発明の携帯用送信機における集積回路の概念を示すブロック図である。
【図１２】  逆流防止機能を付加した電源オン／オフ回路の配線図である。
【図１３】  本発明の第２実施形態に係る携帯用受信機の外観を示す概念的な斜視図である。
【図１４】  箱形本体の半割り部材内に受信用の回路基板を組込んだ状態を示す概念的な説明図である。
【図１５】  回路基板の裏面側を示した背面図である。
【図１６】  本発明の携帯用受信機における集積回路の概念的な原理を示すブロック図である。
【図１７】  本発明の第３実施形態に係る携帯用送信機を示す概念的な斜視図である。
【図１８】  本発明の第４実施形態に係る携帯用送信機を示す概念的な斜視図である。
【図１９】  本発明の第５実施形態に係る携帯用送信機を示す概念的な斜視図である。
【図２０】  本発明の第６実施形態に係る携帯用送信機を示す概念的な斜視図である。
【符号の説明】
【００３９】  １  箱形本体
３  第１入力ジャック
４  電源スイッチ
５  表示窓
６  送話口
７  チャンネルスイッチ
８  第２入力ジャック
９  コーナー開口部
１０  電池ケース
１３  電池蓋
２６  回路基板
２６ａ  小型回路基板
２７  第１区画
２８  第２区画
４１  電源オン／オフ回路
４２  ＤＣ／ＤＣコンバータ
４４  ＶＯＣユニット
４５  電池消耗表示
４６  発光ダイオード
４７  マイクロホン
４８  外部入力電源
５０  内臓マイク
５８  内臓アンテナ
６３  第１出力ジャック
６４  第２出力ジャック
６５  マイクロコントローラユニット
８０  イヤホン
８１  外部出力電源
【図１】
2006295866.tif 000003
【図２】
2006295866.tif 000004
【図３】
2006295866.tif 000005
【図４】
2006295866.tif 000006
【図５】
2006295866.tif 000007
【図６】
2006295866.tif 000008
【図７】
2006295866.tif 000009
【図８】
2006295866.tif 000010
【図９】
2006295866.tif 000011
【図１０】
2006295866.tif 000012
【図１１】
2006295866.tif 000013
【図１２】
2006295866.tif 000014
【図１３】
2006295866.tif 000015
【図１４】
2006295866.tif 000016
【図１５】
2006295866.tif 000017
【図１６】
2006295866.tif 000018
【図１７】
2006295866.tif 000019
【図１８】
2006295866.tif 000020
【図１９】
2006295866.tif 000021
【図２０】
2006295866.tif 000022